【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
被写体の放射線画像を撮影する撮影手段と、
前記撮影手段により撮影される前記放射線画像の撮影モードが、前記放射線画像を記憶手段に保存するモードであるか、前記記憶手段に保存しないモードであるかを判別する判別手段と、
前記放射線画像のサイズを示す画像サイズ情報を算出する第１算出手段と、
表示手段により前記放射線画像を表示することが可能な画像表示領域のサイズを示す画像表示領域情報を算出する第２算出手段と、
前記撮影手段により撮影された前記放射線画像を前記表示手段に表示する際に、前記放射線画像を回転させる回転条件を決定する第１決定手段と、
前記撮影手段により撮影された前記放射線画像を前記表示手段に表示する際に、前記放射線画像を拡大または縮小して表示するための拡大縮小条件を決定する第２決定手段と、を備え、
前記撮影手段の放射線照射の開始時に、前記撮影手段により撮影される前記放射線画像の撮影モードが前記判別手段により前記保存しないモードであると判別された場合には、
前記第２決定手段は、前記第１決定手段により決定された回転条件で回転させた前記放射線画像の全体が、前記画像表示領域に対する割合が最大となるように表示されるよう、前記画像サイズ情報と前記画像表示領域情報とから、前記拡大縮小条件を決定することを特徴とする放射線撮影装置。
【請求項２】
前記第１算出手段は、前記画像サイズ情報を、放射線検出器の検出領域のサイズを示す情報から算出することを特徴とする請求項１に記載の放射線撮影装置。
【請求項３】
前記第１算出手段は、前記画像サイズ情報を、絞り機構であるコリメータにより調整された放射線の照射領域のサイズを示す情報から算出することを特徴とする請求項１に記載の放射線撮影装置。
【請求項４】
前記記憶手段は、前記撮影手段により撮影された前記放射線画像と、前回の放射線撮影において前記第１決定手段により決定された放射線撮影終了時又は撮影後に調整済の回転条件と、前回の放射線撮影において前記第２決定手段により決定された放射線撮影終了時又は撮影後に調整済の拡大縮小条件と、を保存することを特徴とする請求項１乃至３の何れか１項に記載の放射線撮影装置。
【請求項５】
前記撮影手段の放射線照射の開始時に、
前記撮影手段により撮影される前記放射線画像の撮影モードが、前記判別手段により、前記放射線画像を前記記憶手段に保存しないモードであると判別された場合には、
前記第１決定手段は、前記放射線画像の回転条件を前記記憶手段に保存されている前記放射線撮影終了時又は撮影後に調整済の回転条件と同一の条件として決定し、
前記第２決定手段は、前記画像サイズ情報と、前記画像表示領域情報とから、前記画像表示領域の画素数を越えないで、且つ、前記画像表示領域に対する前記放射線画像の全体の割合が最大となるように表示されるよう、前記拡大縮小条件を決定することを特徴とする請求項４に記載の放射線撮影装置。
【請求項６】
前記放射線画像を前記表示手段に表示する際に、前記判別手段による判別の結果に従い、放射線画像の画像中心を移動して表示するパンニング表示を制御するためのパンニング条件を決定する第３決定手段をさらに備え、
前記記憶手段は、前回の放射線撮影において前記第３決定手段により決定された放射線撮影終了時又は撮影後に調整済のパンニング条件をさらに記憶することを特徴とする請求項４に記載の放射線撮影装置。
【請求項７】
前記撮影手段の放射線照射の開始時に、
前記撮影手段により撮影される前記放射線画像の撮影モードが、前記判別手段により、前記放射線画像を前記記憶手段に保存するモードであると判別された場合には、
前記第１決定手段は、前記放射線画像の回転条件を前記記憶手段に保存されている前記放射線撮影終了時又は撮影後に調整済の回転条件と同一の条件として決定し、前記第２決定手段は、前記拡大縮小条件を前記記憶手段に保存されている前記放射線撮影終了時又は撮影後に調整済の拡大縮小条件と同一の条件として決定し、前記第３決定手段は、前記パンニング条件を前記記憶手段に保存されている前記放射線撮影終了時又は撮影後に調整済のパンニング条件と同一の条件として決定することを特徴とする請求項６に記載の放射線撮影装置。
【請求項８】
前記撮影手段の放射線照射中に、
前記撮影手段により撮影される前記放射線画像の撮影モードが、前記判別手段により、前記放射線画像を前記記憶手段に保存しないモードであると判別された場合には、
前記第１決定手段は、前記回転条件を、入力手段を介して入力されるユーザ操作に従って決定し、
前記第２決定手段は、前記画像サイズ情報と、前記画像表示領域情報とから、前記画像表示領域の画素数を越えないで、且つ、前記画像表示領域に対する前記放射線画像の全体の割合が最大となるように表示されるよう、前記拡大縮小条件を決定することを特徴とする請求項５に記載の放射線撮影装置。
【請求項９】
前記撮影手段の放射線照射中に、
前記撮影手段により撮影される前記放射線画像の撮影モードが、前記判別手段により、前記放射線画像を前記記憶手段に保存するモードであると判別された場合には、
前記第１決定手段は、前記回転条件を、入力手段を介して入力されたユーザ操作により決定し、
前記第２決定手段は、前記拡大縮小条件を、前記入力手段を介して入力されたユーザ操作により決定し、
前記第３決定手段は、前記パンニング条件を、前記入力手段を介して入力されたユーザ操作により決定することを特徴とする請求項７に記載の放射線撮影装置。
【請求項１０】
前記撮影手段の動画による放射線照射開始時に、
前記撮影手段により撮影される前記放射線画像の撮影モードが、前記判別手段により、前記放射線画像を前記記憶手段に保存するモードであると判別された場合には、
前記第１決定手段、前記第２決定手段、及び第３決定手段は、回転条件、拡大縮小条件、及びパンニング条件を、前回の動画による放射線撮影終了時又は撮影後に調整済の、回転条件、拡大縮小条件、及びパンニング条件と同一の回転条件、拡大縮小条件、及びパンニング条件として決定することを特徴とする請求項７に記載の放射線撮影装置。
【請求項１１】
前回の動画による放射線撮影と現在の動画による放射線撮影との、動画の種類が同一であることを特徴とする請求項１０に記載の放射線撮影装置。
【請求項１２】
放射線撮影装置で実行される放射線撮影方法であって、
撮影手段が、被写体の放射線画像を撮影する撮影工程と、
判別手段が、前記撮影工程により撮影される前記放射線画像の撮影モードが、前記放射線画像を記憶手段に保存するモードであるか、前記記憶手段に保存しないモードであるかを判別する判別工程と、
第１算出手段が、前記放射線画像のサイズを示す画像サイズ情報を算出する第１算出工程と、
第２算出手段が、表示手段に前記放射線画像を表示することが可能な画像表示領域のサイズを示す画像表示領域情報を算出する第２算出工程と、
第１決定手段が、前記撮影工程により撮影された前記放射線画像を前記表示手段に表示する際に、前記放射線画像を回転させる回転条件を決定する第１決定工程と、
第２決定手段が、前記撮影工程により撮影された前記放射線画像を前記表示手段に表示する際に、前記放射線画像を拡大または縮小して表示するための拡大縮小条件を決定する第２決定工程と、を備え、
前記撮影工程の放射線照射の開始時に、前記撮影工程により撮影される前記放射線画像の撮影モードが前記判別工程により前記保存しないモードであると判別された場合には、
前記第２決定工程は、前記第１決定工程により決定された回転条件で回転させた前記放射線画像の全体が、前記画像表示領域に対する割合が最大となるように表示されるよう、前記画像サイズ情報と前記画像表示領域情報とから、前記拡大縮小条件を決定することを特徴とする放射線撮影方法。
【請求項１３】
コンピュータに請求項１２に記載の放射線撮影方法を実行させるためのプログラムが記憶されたコンピュータで読み取り可能な記憶媒体。
【請求項１４】
放射線撮影画像を表示領域に表示させる表示制御手段と、
前記表示制御手段により表示されている前記放射線撮影画像のサイズまたは向きを含む表示形態を変更する変更手段と、
前記変更手段の変更により前記放射線撮影画像が前記表示領域に収まるか否かを判定する判定手段と、
前記放射線撮影画像が保存しないモードで撮影された画像であり、かつ前記判定手段により前記放射線撮影画像が前記表示領域に収まらないと判定された場合、前記変更手段による変更を制限する制限処理手段と、
を備えることを特徴とする放射線画像処理装置。
【請求項１５】
放射線画像処理装置で実行される放射線画像処理方法であって、
表示制御手段が、放射線撮影画像を表示領域に表示させる表示制御工程と、
変更手段が、前記表示制御工程により表示されている前記放射線撮影画像のサイズまたは向きを含む表示形態を変更する変更工程と、
判定手段が、前記変更工程の変更により前記放射線撮影画像が前記表示領域に収まるか否かを判定する判定工程と、
制限処理手段が、前記放射線撮影画像が保存しないモードで撮影された画像であり、かつ前記判定工程により前記放射線撮影画像が前記表示領域に収まらないと判定された場合、前記変更工程による変更を制限する制限処理工程と、
を備えることを特徴とする放射線画像処理方法。
【請求項１６】
コンピュータに請求項１５に記載の放射線画像処理方法の各工程を実行させるためのプログラムが記憶されたコンピュータで読み取り可能な記憶媒体。
【請求項１７】
放射線撮影装置で得られた放射線画像の表示部での表示を制御する制御装置であって、
放射線画像を取得する取得手段と、
前記取得された放射線画像の撮影の態様が第一の態様である場合に、該放射線画像の前の撮影の態様での表示条件を引き継いで表示条件を決定し、前記取得された放射線画像の撮影の態様が第二の態様である場合に、前記表示部の表示領域に該放射線画像の特定領域が表示されるように表示させる表示条件を決定する決定手段と、
前記決定された表示条件に基づいて前記表示部に前記放射線画像を表示させる表示制御手段と、
を有することを特徴とする制御装置。
【請求項１８】
前記決定手段は、前記第二の態様で撮影された放射線画像の特定領域全体が表示される前提の下最大の大きさで表示させる表示条件を決定し、
前記表示制御手段は、前記表示条件に基づいて拡大または縮小された前記放射線画像を表示させることを特徴とする請求項１７に記載の制御装置。
【請求項１９】
前記撮影の態様には、撮影画像の保存を前提とする撮影モード及び撮影画像の保存を前提としない撮影モードを含むことを特徴とする請求項１７に記載の制御装置。
【請求項２０】
前記撮影の態様には、透視、シネ、デジタルアンギオグラフィ（ＤＡ）、デジタルサブトラクションアンギオグラフィ（ＤＳＡ）の少なくともいずれかを含むことを特徴とする請求項１７に記載の制御装置。
【請求項２１】
前記決定手段は、前記第一の態様で撮影された放射線画像について、該放射線画像の前に前記第一の態様で撮影された放射線画像の表示条件を引き継ぐことを特徴とする請求項１７に記載の制御装置。
【手続補正２】
【補正対象書類名】明細書
【補正対象項目名】発明の名称
【補正方法】変更
【補正の内容】
【発明の名称】放射線撮影装置、放射線撮影方法、放射線画像処理装置、放射線画像処理方法、制御装置、及び記憶媒体
【手続補正３】
【補正対象書類名】明細書
【補正対象項目名】０００１
【補正方法】変更
【補正の内容】
【０００１】
本発明は、放射線撮影装置、放射線撮影方法、放射線画像処理装置、放射線画像処理方法、制御装置、及び記憶媒体に関する。